(57)【特許請求の範囲】
【請求項１】
被計量物を排出シュートから排出する組合せ秤の画像を表示する第１表示装置と、
前記第１表示装置の下方に配置され、前記組合せ秤の排出シュートから排出された被計量物がその内部を通過するフォーミングチューブを有する包装機の画像を表示する第２表示装置と、
前記第１表示装置と前記第２表示装置の間に配置され、前記組合せ秤で計量された被計量物が前記フォーミングチューブ内を通過する様子を撮影した映像を表示する第３表示装置と、を備える、展示装置。
【請求項２】
前記第１表示装置は、前記組合せ秤を実物大に表示し、
前記第２表示装置は、前記包装機を実物大に表示し、
前記第３表示装置は、前記フォーミングチューブを実物大に表示するように構成されている、請求項１に記載の展示装置。
【請求項３】
前記第１表示装置は、前記組合せ秤の写真を貼付した表示体である、請求項１に記載の展示装置。
【請求項４】
前記第２表示装置は、前記包装機の写真を貼付した表示体である、請求項１に記載の展示装置。
【請求項５】
前記第３表示装置で表示する映像は、光学的に透明な材料で形成した前記包装機のフォーミングチューブを、前記組合せ秤の排出シュートの下方に配置して、前記組合せ秤で計量された被計量物が前記フォーミングチューブ内を通過する様子を撮影した映像である、請求項１に記載の展示装置。
【請求項６】
前記第３表示装置は、前記組合せ秤で計量された被計量物が前記フォーミングチューブ内を通過する様子と前記フォーミングチューブ内を通過する前記被計量物のプロダクトウィンドウの距離を表示する、請求項１に記載の展示装置。
【請求項７】
前記第３表示装置は、前記組合せ秤で計量された被計量物が前記フォーミングチューブ内を通過する様子と物差しを表示する、請求項１に記載の展示装置。
【請求項８】
被計量物を排出シュートから排出する組合せ秤の画像を上部に表示し、
前記組合せ秤の排出シュートから排出された被計量物が、その内部を通過するフォーミングチューブを有する包装機の画像を下部に表示し、
前記組合せ秤で計量された被計量物が前記フォーミングチューブ内を通過する様子を撮影した映像を前記組合せ秤と前記包装機の間に表示する、展示方法。
【請求項９】
前記組合せ秤と前記包装機と前記フォーミングチューブとを実物大に表示する、請求項８に記載の展示方法。
【請求項１０】
前記組合せ秤の画像は前記組合せ秤の写真である、請求項８に記載の展示方法。
【請求項１１】
前記包装機の画像は前記包装機の写真である、請求項８に記載の展示方法。
【請求項１２】
前記フォーミングチューブの映像は、光学的に透明な材料で形成した前記包装機のフォーミングチューブを、前記組合せ秤の排出シュートの下方に配置して、前記組合せ秤で計量された被計量物が前記フォーミングチューブ内を通過する様子を撮影した映像である、請求項８に記載の展示方法。
【請求項１３】
前記組合せ秤と前記包装機の間に、前記組合せ秤で計量された被計量物が前記フォーミングチューブ内を通過する様子と、前記フォーミングチューブ内を通過する前記被計量物のプロダクトウィンドウの距離と、を表示する、請求項８に記載の展示方法。
【請求項１４】
前記組合せ秤と前記包装機の間に、前記組合せ秤で計量された被計量物が前記フォーミングチューブ内を通過する様子と物差しを表示する、請求項８に記載の展示方法。
【発明の詳細な説明】
【技術分野】
【０００１】
本発明は、展示装置及び展示方法、特に、組合せ秤と包装機からなる計量包装システムの構成を展示する展示装置及び展示方法に関する。
【背景技術】
【０００２】
計量包装システムは、被計量物を計量する組合せ秤と、袋を作製しながら、組合せ秤で計量された被計量物を充填して包装する包装機と、を備えたシステムである。組合せ秤は、複数の計量ホッパに供給された洗剤や菓子類等の被計量物を、計量し、計量した被計量物の計量値に基づいて、組合せ演算を行い、計量値の合計が、所定重量範囲となる計量ホッパの組合せを求める。そして、その組合せに該当する計量ホッパの被計量物をまとめて排出することにより、包装機へ被計量物が投入されるように構成されている（例えば、特許文献１参照）。
【０００３】
また、包装機は、帯状の包材をフォーミングチューブにより筒状に整形し、筒状に整形された包材（以下、筒状包材）の両側をシールしながら下方に引き出し、筒状包材の下端をシールし、下端をシールした筒状包材に組合せ秤から排出された被計量物が投入され、筒状包材の上端をシールして被計量物を包装するように構成されている（例えば、特許文献２参照）。
【０００４】
そして、このような組合せ秤と包装機（計量包装システム）には、さまざまな種類があり、顧客の目的等により、最適な組合せ秤と包装機を選択して提供する必要がある。
【特許文献１】特開２００７−１７０８８４号公報
【特許文献２】特開平１０−２１８１２２号公報
【発明の開示】
【発明が解決しようとする課題】
【０００５】
ところで、計量包装システムでは、組合せ秤で計量した被計量物が、排出シュート及びフォーミングチューブ内を通過する際に、後続の被計量物との間に所定の間隔（プロダクトウィンドウ）を有している必要があるが、プロダクトウィンドウを有しているか否かは、実際に包装された袋のシール部分が不完全でないかを調べることにより、間接的に確認されていた。
【０００６】
このため、例えば、博覧会で計量包装システムを展示するような場合、実際に被計量物を組合せ秤で計量して包装機で包装するといったデモンストレーションを行うが、上述したように、組合せ秤と包装機には、さまざまな種類があり、全ての機種を博覧会で展示するのは、展示するスペースの関係やコストの面から困難である。
【０００７】
本発明は、上記課題を解決するためになされたもので、省スペース、かつ、低コストで、計量包装システムの構成を展示することができ、観者がフォーミングチューブ内を通過する被計量物がプロダクトウィンドウを有していることを容易に理解することができる、展示装置及び展示方法を提供することを目的とする。
【課題を解決するための手段】
【０００８】
前記課題を解決するために本発明に係る展示装置は、被計量物を排出シュートから排出する組合せ秤の画像を表示する第１表示装置と、前記第１表示装置の下方に配置され、前記組合せ秤の排出シュートから排出された被計量物がその内部を通過するフォーミングチューブを有する包装機の画像を表示する第２表示装置と、前記第１表示装置と前記第２表示装置の間に配置され、前記組合せ秤で計量された被計量物が前記フォーミングチューブ内を通過する様子を撮影した映像を表示する第３表示装置と、を備える。
【０００９】
これにより、省スペース、かつ、低コストで、計量包装システムの構成を展示することができ、観者がフォーミングチューブを通過する被計量物がプロダクトウィンドウを有していることを容易に理解することができる。
【００１０】
また、本発明に係る展示装置では、前記第１表示装置は、前記組合せ秤を実物大に表示し、前記第２表示装置は、前記包装機を実物大に表示し、前記第３表示装置は、前記フォーミングチューブを実物大に表示するように構成されていてもよい。
【００１１】
また、本発明に係る展示装置では、前記第１表示装置は、前記組合せ秤の写真を貼付した表示体であってもよい。
【００１２】
また、本発明に係る展示装置では、前記第２表示装置は、前記包装機の写真を貼付した表示体であってもよい。
【００１３】
また、本発明に係る展示装置では、前記第３表示装置で表示する映像は、光学的に透明な材料で形成した前記包装機のフォーミングチューブを、前記組合せ秤の排出シュートの下方に配置して、前記組合せ秤で計量された被計量物が前記フォーミングチューブ内を通過する様子を撮影した映像であってもよい。
【００１４】
また、本発明に係る展示装置では、前記第３表示装置は、前記組合せ秤で計量された被計量物が前記フォーミングチューブ内を通過する様子と前記フォーミングチューブ内を通過する前記被計量物のプロダクトウィンドウの距離を表示してもよい。
【００１５】
さらに、本発明に係る展示装置では、前記第３表示装置は、前記組合せ秤で計量された被計量物が前記フォーミングチューブ内を通過する様子と物差しを表示してもよい。
【００１６】
また、本発明に係る展示方法は、被計量物を排出シュートから排出する組合せ秤の画像を上部に表示し、前記組合せ秤の排出シュートから排出された被計量物が、その内部を通過するフォーミングチューブを有する包装機の画像を下部に表示し、前記組合せ秤で計量された被計量物が前記フォーミングチューブ内を通過する様子を撮影した映像を前記組合せ秤と前記包装機の間に表示する。
【００１７】
これにより、省スペース、かつ、低コストで、計量包装システムの構成を展示することができ、観者がフォーミングチューブを通過する被計量物がプロダクトウィンドウを有していることを容易に理解することができる。
【００１８】
また、本発明に係る展示方法では、前記組合せ秤と前記包装機と前記フォーミングチューブとを実物大に表してもよい。
【００１９】
また、本発明に係る展示方法では、前記組合せ秤の画像は前記組合せ秤の写真であってもよい。
【００２０】
また、本発明に係る展示方法では、前記包装機の画像は前記包装機の写真であってもよい。
【００２１】
また、本発明に係る展示方法では、前記フォーミングチューブの映像は、光学的に透明な材料で形成した前記包装機のフォーミングチューブを、前記組合せ秤の排出シュートの下方に配置して、前記組合せ秤で計量された被計量物が前記フォーミングチューブ内を通過する様子を撮影した映像であってもよい。
【００２２】
また、本発明に係る展示方法では、前記組合せ秤で計量された被計量物が前記フォーミングチューブ内を通過する様子と前記フォーミングチューブ内を通過する前記被計量物のプロダクトウィンドウの距離を表示してもよい。
【００２３】
さらに、本発明に係る展示方法では、前記組合せ秤と前記包装機の間に、前記組合せ秤で計量された被計量物が前記フォーミングチューブ内を通過する様子と物差しを表示してもよい。
【発明の効果】
【００２４】
本発明の展示装置及び展示方法によれば、省スペース、かつ、低コストで、計量包装システムの構成を展示することができ、観者がフォーミングチューブを通過する被計量物がプロダクトウィンドウを有していることを容易に理解することが可能となる。
【発明を実施するための最良の形態】
【００２５】
以下、本発明の好ましい実施の形態を、図面を参照しながら説明する。なお、全ての図面において、同一又は相当部分には同一符号を付し、重複する説明は省略する。
（実施の形態１）
[展示装置の構成]
図１は、本発明の実施の形態１に係る展示装置の概略構成を示す模式図である。
【００２６】
図１に示すように、本発明の実施の形態１に係る展示装置１００は、第１〜第３表示装置１０１〜１０３を備えており、第１表示装置１０１が上部に配置され、第２表示装置が下部に配置され、第３表示装置１０３が第１表示装置１０１と第２表示装置１０２の間に配置されている。なお、第１〜第３表示装置１０１〜１０３は、適宜な手段により固定されている。
【００２７】
第１表示装置１０１は、組合せ秤５１を実物大の大きさにまで引き伸ばした写真を貼付したパネル（表示体）で構成されていて、第２表示装置１０２は、包装機５２を実物大の大きさにまで引き伸ばした写真を貼付したパネル（表示体）で構成されている。また、第３表示装置１０３は、液晶ディスプレイやＣＲＴ等のディスプレイ１０３と該ディスプレイ１０３にＤＶＤ等の記録媒体に記録された映像信号を送信して、被計量物がフォーミングチューブ２１内を通過する映像を表示させる再生機（図示せず）で構成されている。なお、ディスプレイ１０３は、フォーミングチューブ２１を実物大の大きさで表示できるように適宜調整されている。これにより、実際に被計量物を組合せ秤５１で計量して包装機２１で包装するといったデモンストレーションを行わなくても、計量包装システムの構成を展示することができる。
【００２８】
なお、本実施の形態においては、第２表示装置１０２では、フォーミングチューブ２１が１である包装機５２を表示し、第１表示装置１０１では、排出シュート６が１つである組合せ秤５１を表示し、第３表示装置１０３では、排出シュート６が１つである組合せ秤５１から送出された被計量物（ここでは、ポテトチップス）が、フォーミングチューブ２１を通過する様子を表示している。
【００２９】
ここで、第１表示装置１０１に表示されている組合せ秤５１の構成について、図１及び図２を参照しながら説明する。
【００３０】
[組合せ秤の構成]
図２は、図１に示す展示装置１００の第１表示装置１０１に表示されている組合せ秤５１の概略構成を示す模式図である。
【００３１】
図１及び図２に示すように組合せ秤５１は、分散フィーダ１、リニアフィーダ２、供給ホッパ３、計量ホッパ４、重量センサ５、集合シュート（排出シュート）６、集合ファンネル７、及び制御部１０を備えており、制御部１０により組合せ秤５１全体の動作が制御されている。
【００３２】
組合せ秤５１の上方には、図示されない被計量物を組合せ秤５１の分散フィーダ１に供給するための供給装置が配置されている。分散フィーダ１は、組合せ秤５１上部の中央に設けられており、円錐状に形成されている。また、分散フィーダ１は、振動器１ａを有している。これにより、分散フィーダ１は、振動器１ａの振動により、供給装置から供給された被計量物を放射状に分散する。
【００３３】
分散フィーダ１の周囲には、振動器２ａを有するリニアフィーダ２が放射状に複数設けられている。リニアフィーダ２の下方には、複数の供給ホッパ３が円状に設けられており、供給ホッパ３の下方には、該供給ホッパ３に対応するように計量ホッパ４が設けられている。供給ホッパ３及び計量ホッパ４は、ゲートを有している。また、各計量ホッパ４には、ロードセル等の重量センサ５が取り付けられており、この重量センサ５が計量ホッパに供給された被計量物の重量を検出する。これにより、リニアフィーダ２は、分散フィーダ１により分散された被計量物を各供給ホッパ３に供給する。また、供給ホッパ３は、その下方に配置された計量ホッパ４が空になるとゲートを開いて計量ホッパ４に被計量物を投入する。
【００３４】
計量ホッパ４の下方には、その下部に排出口を有する集合シュート６が設けられており、集合シュート６の排出口には、集合ファンネル７が配設されている。集合ファンネル７は、集合シュート６から供給される被計量物を受け取って、後述する包装機５２に送出するように構成されている。これにより、計量ホッパ４から排出された被計量物は、集合シュート６上を滑り、集合シュート６の排出口から集合ファンネル７に排出され、集合ファンネル７から包装機５２に送出される。
【００３５】
次に、組合せ秤５１の動作について説明する。
【００３６】
[組合せ秤の動作]
まず、図示されない供給装置から被計量物が組合せ秤５１の分散フィーダ１に供給される。分散フィーダ１は、振動器１ａにより振動され、供給された被計量物がリニアフィーダ２に供給される。リニアフィーダ２は、振動器２ａにより振動され、リニアフィーダ２に供給された被計量物が、各供給ホッパ３に送り込まれる。供給ホッパ３は、リニアフィーダ２から送り込まれた被計量物を受け取り、その下方に配置された計量ホッパ４が空になるとゲートを開いて、計量ホッパ４に被計量物を投入する。
【００３７】
ついで、計量ホッパ４に取り付けられた重量センサ５が、計量ホッパ４に投入された被計量物の重量を検出し、その重量を制御部１０に伝達する。制御部１０は、各計量ホッパ４に投入された被計量物の重量を基に、予め作業者から指示された目標重量（例えば、１００ｇ）になるように組合せ演算をし、複数の計量ホッパ４の中から排出すべき計量ホッパ４の組合せを求め、その組合せに該当する計量ホッパ４から被計量物が集合シュート６に排出される。
【００３８】
そして、計量ホッパ４から排出された被計量物は、集合シュート６上を滑り、集合シュート６の排出口から集合ファンネル７に排出され、集合ファンネル７から包装機５２に送出される。
【００３９】
次に、表示装置１０２に表示されている包装機５２の構成について、図１及び図３を参照しながら説明する。
【００４０】
[包装機の構成]
図３は、図１に示す展示装置１００の第２表示装置１０２に表示されている包装機５２の主要部の概略構成を示す模式図である。
【００４１】
図１及び図３に示すように、包装機５２は、筒状のフォーミングチューブ２１、フォーマ２２、プルダウンベルト機２３、縦シール機２４、横シール機２５、ローラ２６、及びシート状の包材２７が巻回された包材ロール２８と備えている。
【００４２】
フォーミングチューブ２１は、包装機５１に固設されており、包材ロール２８は、包装機５２に回動自在に設けられている。フォーミングチューブ２１の中央部には、包材２７をフォーミングチューブ２１に巻きつけるためのフォーマ２２が設けられている。フォーマ２２近傍には、ローラ２６が設けられている。これにより、包材ロール２８から引き出された包材２７が、ローラ２６に掛けられ、フォーマ２２によってフォーミングチューブ２１に巻きつけられる。
【００４３】
フォーミングチューブ２１の下部には、包材２７を下方に送り出すためのプルダウンベルト機２３が該フォーミングチューブ２１に押し付けられるように設けられている。また、プルダウンベルト機２３とほぼ同じ高さの位置に、縦シール機２４が配設されている。さらに、フォーミングチューブ２１の下方には、横シール機２５が配設されている。これにより、包材２７は、筒状に成形され、縦の縁が縦シール機２４にシール（溶着による封止）され、横シール機２５により横方向のシールが行われることにより、袋が形成する。
【００４４】
次に、包装機５２の動作について説明する。なお、包装機５２の動作は、図示されない制御装置により制御される。
【００４５】
[包装機の動作]
まず、包材２７が、包材ロール２８から引き出されて、ローラ２６及びフォーマ２２に掛けられ、フォーミングチューブ２１とプルダウンベルト機２３の間に挟みこまれた状態にあるとする。このような状態で、プルダウンベルト機２３が駆動することにより、包材２７が下方に送り出される。このとき、フォーミングチューブ２１とフォーマ２２により、包材は筒状（ここでは、円筒状）に成形される。
【００４６】
そして、筒状に成形された包材２７の重ねられた縦の縁が、縦シール機２４によりシールされる。次に、包材２７が、さらに下方に所定のピッチだけ送り出されて、一旦停止する。ついで、横シール機２５により横方向のシールが行われる。
【００４７】
次に、組合せ秤５１の集合ファンネル７の排出口から被計量物がフォーミングチューブ２１の上側の開口部に供給され、供給された被計量物は、フォーミングチューブ２１の内部を通過して、筒状の包材２７に充填される。ついで、包材２７がさらに下方に所定のピッチだけ送り出されて、一旦停止し、横シール機２５により横方向のシールが行われる。これにより、被計量物が充填された袋が形成される。そして、横シール機２５に内蔵されているカッターにより、横方向のシール部分の中央が切断されて、形成された袋が分離される。
【００４８】
[第３表示装置]
次に、第３表示装置１０２について説明する。
【００４９】
上述したように、本実施の形態１に係る展示装置１００の第３表示装置１０３は、液晶ディスプレイやＣＲＴ等のディスプレイ１０３と該ディスプレイ１０３にＤＶＤ等の記録媒体に記録された映像信号を送信して、映像を表示させる再生機（図示せず）で構成されている。ここで、ディスプレイ１０３に表示する映像について説明する。
【００５０】
まず、上述した組合せ秤５１と光学的に透明な材料、又は可視光を実質的に吸収しない材料で（例えば、アクリル樹脂）で形成した包装機５２のフォーミングチューブ（以下、デモ用フォーミングチューブ）２１を用意し、デモ用フォーミングチューブ２１を組合せ秤５１の集合ファンネル７の下方に配置する。また、デモ用フォーミングチューブ２１を撮影し、ＤＶＤ等の記録媒体に記録（録画）できるようにビデオカメラ等の撮影機を配置する。
【００５１】
次に、組合せ秤５１の分散フィーダ１に被計量物（例えば、ポテトチップス）を供給して、組合せ秤５１を作動させる。これにより、組合せ秤５１の集合ファンネル７から被計量物が送出され、送出された被計量物は、デモ用フォーミングチューブ２１内を通過する。この様子を撮影機で撮影し、記録媒体に記録する。このとき、被計量物を組合せ秤５１で計量し、集合ファンネル７から送出する速度を変化させ、その様子を記録してもよい。
【００５２】
このようにして記録媒体に記録された映像信号を、本実施の形態１に係る展示装置１００の第３表示装置１０３では、図示されない再生機がディスプレイ１０３に送信し、ディスプレイ１０３がその送信された映像信号に応じた映像を表示する。なお、ディスプレイ１０３には、デモ用フォーミングチューブ２１内を被計量物が通過する様子と共に、組合せ秤５１で被計量物を計量する目標重量、集合ファンネル７から送出する目標速度やデモ用フォーミングチューブ２１内を通過する被計量物の速度等を表示してもよい。
【００５３】
これにより、博覧会で計量包装システムを展示するような場合、実際に被計量物を組合せ秤５１で計量して包装機５２で包装するといったデモンストレーションを行わなくても、第３表示装置１０３に表示される映像を観ることにより、フォーミングチューブ２１内を通過する組合せ秤５１で計量した被計量物が、後続の被計量物との間にプロダクトウィンドウを有していることが視覚的に、かつ、容易に理解することができる。
【００５４】
このように本実施の形態１に係る展示装置１００では、省スペース、かつ、低コストで、計量包装システムの構成を展示することができ、観者がフォーミングチューブ２１内を通過する被計量物がプロダクトウィンドウを有していることを容易に理解することができる。
【００５５】
（実施の形態２）
図４は、本発明の実施の形態２に係る展示装置の概略構成を示す模式図である。
【００５６】
図４に示すように、本発明の実施の形態２に係る展示装置１００は、実施の形態１に係る展示装置１００と基本的構成は同じであるが、その表示される組合せ秤５１、包装機５２、及びデモ用フォーミングチューブ２１の構成が異なる。
【００５７】
具体的には、本実施の形態２に係る展示装置１００では、第１表示装置１０１に２連タイプ（排出シュート６が２つ）の組合せ秤５１の実物大の写真を貼付したパネルを使用し、第２表示装置１０２に２連式（フォーミングチューブ２１が２つ）の包装機５２の実物大の写真を貼付したパネルを使用し、第３表示装置１０３に２連タイプの組合せ秤５１から送出された被計量物が、２つのデモ用フォーミングチューブ２１内をそれぞれ通過する様子を表示するように構成されている。
【００５８】
このように構成された実施の形態２に係る展示装置１００においても、実施の形態１に係る展示装置１００と同様の作用効果を奏する。
【００５９】
（実施の形態３）
図５は、本発明の実施の形態３に係る展示装置の概略構成を示す模式図である。
【００６０】
図５に示すように、本発明の実施の形態３に係る展示装置１００は、実施の形態１に係る展示装置１００と基本的構成は同じであるが、第３表示装置１０３に表示されるデモ用フォーミングチューブ２１の構成が異なる。
【００６１】
具体的には、本実施の形態３に係る展示装置１００では、デモ用フォーミングチューブ２１の側面に、所定の間隔（例えば、１ｍｍ）で目盛りが設けられており、該目盛りが物差し３１を構成する。
【００６２】
これにより、フォーミングチューブ２１内を通過する被計量物におけるプロダクトウィンドウの間隔を視覚的に理解することができる。このため、本実施の形態３に係る展示装置１００では、省スペース、かつ、低コストで、計量包装システムの構成を展示することができ、観者がフォーミングチューブ２１内を通過する被計量物がプロダクトウィンドウの間隔を容易に理解することができる。
【００６３】
なお、上記実施の形態においては、包装機５２のフォーミングチューブ２１を１つ、又は２つのタイプのものを例示し、また、組合せ秤５１についても包装機５２のフォーミングチューブ２１の数に対応するタイプを例示したが、これらに限定されず、包装機５２のタイプに対応する組合せ秤５１（すなわち、計量包装システム）を、第１及び第２表示装置１０１、１０２に表示し、これらの表示装置１０１、１０２に表示したタイプのデモ用フォーミングチューブ２１内を被計量物が通過する様子を第３表示装置１０３に表示する構成としてもよい。
【００６４】
また、上記実施の形態の展示装置１００を複数（計量包装システムごとに）用意して、これらを並べて展示することにより、省スペース、かつ、低コストで、様々なタイプの計量包装システムの構成を展示することができ、顧客は、その目的等により最適な計量包装システムを選択することができる。
【００６５】
また、上記実施の形態においては、第１及び第２表示装置１０１、１０２として、それぞれ組合せ秤５１又は包装機５２の写真を貼付したパネルとしたが、これに限定されず、組合せ秤５１又は包装機５２を撮影した映像を、ディスプレイ等で表示する構成としてもよい。
【００６６】
さらに、組合せ秤５１及び包装機５２の映像をディスプレイ等で表示する場合、１の展示装置１００で、様々なタイプの計量包装システムの表示を切り替える構成としてもよい。
【産業上の利用可能性】
【００６７】
本発明の展示装置及び展示方法は、省スペース、かつ、低コストで、計量包装システムの構成を展示することができ、観者がフォーミングチューブを通過する被計量物がプロダクトウィンドウを有していることを容易に理解することができる展示装置及び展示方法として、計量包装システムの分野で有用である。
【図面の簡単な説明】
【００６８】
【図１】本発明の実施の形態１に係る展示装置の概略構成を示す模式図である。
【図２】図１に示す展示装置の第１表示装置に表示されている組合せ秤の概略構成を示  す模式図である。
【図３】図１に示す展示装置の第２表示装置に表示されている包装機の主要部の概略構  成を示す模式図である。
【図４】本発明の実施の形態２に係る展示装置の概略構成を示す模式図である。
【図５】本発明の実施の形態３に係る展示装置の概略構成を示す模式図である。
【符号の説明】
【００６９】
１  分散フィーダ
１ａ  振動器
２  リニアフィーダ
２ａ  振動器
３  供給ホッパ
４  計量ホッパ
５  重量センサ
６  集合シュート（排出シュート）
７  集合ファンネル
１０  制御部
２１  フォーミングチューブ
２２  フォーマ
２３  プルダウンベルト機
２４  縦シール機
２５  横シール機
２６  ローラ
２７  包材
２８  包材ロール
３１  物差し
５１  組合せ秤
５２  包装機
１００  展示装置
１０１  第１表示装置
１０２  第２表示装置
１０３  第３表示装置（ディスプレイ）
【図１】
0004914814.tif 000002
【図２】
0004914814.tif 000003
【図３】
0004914814.tif 000004
【図４】
0004914814.tif 000005
【図５】
0004914814.tif 000006